(57)【特許請求の範囲】
【請求項１】
空調機器が設置されている部屋の温度分布を表す等高線図の表示データに従って、前記等高線図を画面に表示させる等高線図表示処理部と、
前記画面に表示されている等高線図への接触が検知されると、前記等高線図への接触位置を示す位置座標を、設定温度を変更する部屋内の地点を示す位置座標として取得する座標取得部と、
前記座標取得部により取得された位置座標が示す部屋内の地点の設定温度の低下を指示する第１の制御信号、又は、前記部屋内の地点の設定温度の上昇を指示する第２の制御信号を前記空調機器の制御装置に出力する制御信号出力部と、
前記座標取得部により取得された位置座標が示す部屋内の地点の設定温度を下げる操作を受け付けるための第１の操作アイコンと、当該部屋内の地点の設定温度を上げる操作を受け付けるための第２の操作アイコンとを前記画面に表示させるアイコン表示処理部と、
前記画面における前記第１の操作アイコンの表示領域への接触が検知されると、設定温度を下げる操作を受け付け、前記画面における前記第２の操作アイコンの表示領域への接触が検知されると、設定温度を上げる操作を受け付ける操作受付部と、
前記操作受付部により受け付けられた設定温度を下げる操作、又は、前記操作受付部により受け付けられた設定温度を上げる操作に基づいて、ユーザの体感温度を推定する体感温度推定部と、を備え、
前記制御信号出力部は、前記操作受付部により設定温度を下げる操作が受け付けられると、前記第１の制御信号を前記制御装置に出力し、前記操作受付部により設定温度を上げる操作が受け付けられると、前記第２の制御信号を前記制御装置に出力し、
前記アイコン表示処理部は、前記座標取得部により取得された位置座標が示す部屋内の地点を表すための温度変更地点アイコンを前記等高線図に重ねて表示させ、前記第１の操作アイコン及び前記第２の操作アイコンのそれぞれを前記等高線図に重ねて表示させ、
前記アイコン表示処理部は、前記温度変更地点アイコンの表示領域のうち、前記座標取得部により取得された位置座標が示す部屋内の地点の表示領域が透明なアイコン、又は、前記温度変更地点アイコンの表示領域のうち、前記座標取得部により取得された位置座標が示す部屋内の地点の表示領域がくり抜かれている枠状のアイコンを、前記温度変更地点アイコンとして、前記等高線図に重ねて表示させ、
前記操作受付部により設定温度を下げる操作、又は、前記操作受付部により設定温度を上げる操作が受け付けられると、前記温度変更地点アイコンの色を変化させ、
前記アイコン表示処理部は、前記体感温度推定部により推定された体感温度を示す体感温度アイコンを、前記座標取得部により取得された位置座標が示す部屋内の地点の表示領域に表示させることを特徴とする温度設定装置。
【請求項２】
前記アイコン表示処理部は、前記体感温度推定部により推定された体感温度を表す第１の効果音を鳴らし、前記操作受付部により操作が受け付けられることによって、前記設定温度が下がるのか、上がるのかを表す第２の効果音を鳴らすことを特徴とする請求項１記載の温度設定装置。
【請求項３】
前記アイコン表示処理部は、前記制御信号出力部から、前記第１の制御信号又は前記第２の制御信号のいずれかが出力されてからの経過時間を示す経過時間アイコンを前記等高線図に重ねて表示させることを特徴とする請求項１記載の温度設定装置。
【請求項４】
前記座標取得部は、前記画面における前記温度変更地点アイコンの表示領域を変更する操作が検知されると、前記表示領域を変更する操作に従って、前記設定温度を変更する部屋内の地点を示す位置座標を変更することを特徴とする請求項１記載の温度設定装置。
【請求項５】
前記アイコン表示処理部は、前記温度変更地点アイコンを拡縮する操作が検知されると、前記画面に表示されている前記温度変更地点アイコンを拡縮させることを特徴とする請求項１記載の温度設定装置。
【請求項６】
前記アイコン表示処理部は、前記座標取得部により複数の位置座標がそれぞれ取得されると、それぞれの位置座標が示す部屋内の地点を表すための温度変更地点アイコンと、それぞれの位置座標が示す部屋内の地点の設定温度を下げる操作を受け付けるための第１の操作アイコンと、それぞれの位置座標が示す部屋内の地点の設定温度を上げる操作を受け付けるための第２の操作アイコンとを前記等高線図に重ねて表示させることを特徴とする請求項１記載の温度設定装置。
【請求項７】
等高線図表示処理部が、空調機器が設置されている部屋の温度分布を表す等高線図の表示データに従って、前記等高線図を画面に表示させ、
座標取得部が、前記画面に表示されている等高線図への接触が検知されると、前記等高線図への接触位置を示す位置座標を、設定温度を変更する部屋内の地点を示す位置座標として取得し、
制御信号出力部が、前記座標取得部により取得された位置座標が示す部屋内の地点の設定温度の低下を指示する第１の制御信号、又は、前記部屋内の地点の設定温度の上昇を指示する第２の制御信号を前記空調機器の制御装置に出力し、
アイコン表示処理部が、前記座標取得部により取得された位置座標が示す部屋内の地点の設定温度を下げる操作を受け付けるための第１の操作アイコンと、当該部屋内の地点の設定温度を上げる操作を受け付けるための第２の操作アイコンとを前記画面に表示させ、
操作受付部が、前記画面における前記第１の操作アイコンの表示領域への接触が検知されると、設定温度を下げる操作を受け付け、前記画面における前記第２の操作アイコンの表示領域への接触が検知されると、設定温度を上げる操作を受け付け、
前記制御信号出力部は、前記操作受付部により設定温度を下げる操作が受け付けられると、前記第１の制御信号を前記制御装置に出力し、前記操作受付部により設定温度を上げる操作が受け付けられると、前記第２の制御信号を前記制御装置に出力し、
前記アイコン表示処理部は、前記座標取得部により取得された位置座標が示す部屋内の地点を表すための温度変更地点アイコンを前記等高線図に重ねて表示させ、前記第１の操作アイコン及び前記第２の操作アイコンのそれぞれを前記等高線図に重ねて表示させ、
前記アイコン表示処理部は、前記温度変更地点アイコンの表示領域のうち、前記座標取得部により取得された位置座標が示す部屋内の地点の表示領域が透明なアイコン、又は、前記温度変更地点アイコンの表示領域のうち、前記座標取得部により取得された位置座標が示す部屋内の地点の表示領域がくり抜かれている枠状のアイコンを、前記温度変更地点アイコンとして、前記等高線図に重ねて表示させ、
前記操作受付部により設定温度を下げる操作、又は、前記操作受付部により設定温度を上げる操作が受け付けられると、前記温度変更地点アイコンの色を変化させ、
前記アイコン表示処理部は、前記体感温度推定部により推定された体感温度を示す体感温度アイコンを、前記座標取得部により取得された位置座標が示す部屋内の地点の表示領域に表示させることを特徴とする温度設定方法。
【請求項８】
等高線図表示処理部が、空調機器が設置されている部屋の温度分布を表す等高線図の表示データに従って、前記等高線図を画面に表示させる処理手順と、
座標取得部が、前記画面に表示されている等高線図への接触が検知されると、前記等高線図への接触位置を示す位置座標を、設定温度を変更する部屋内の地点を示す位置座標として取得する処理手順と、
制御信号出力部が、前記座標取得部により取得された位置座標が示す部屋内の地点の設定温度の低下を指示する第１の制御信号、又は、前記部屋内の地点の設定温度の上昇を指示する第２の制御信号を前記空調機器の制御装置に出力する処理手順と、
アイコン表示処理部が、前記座標取得部により取得された位置座標が示す部屋内の地点の設定温度を下げる操作を受け付けるための第１の操作アイコンと、当該部屋内の地点の設定温度を上げる操作を受け付けるための第２の操作アイコンとを前記画面に表示させる処理手順と、
操作受付部が、前記画面における前記第１の操作アイコンの表示領域への接触が検知されると、設定温度を下げる操作を受け付け、前記画面における前記第２の操作アイコンの表示領域への接触が検知されると、設定温度を上げる操作を受け付ける処理手順と、
前記制御信号出力部が、前記操作受付部により設定温度を下げる操作が受け付けられると、前記第１の制御信号を前記制御装置に出力し、前記操作受付部により設定温度を上げる操作が受け付けられると、前記第２の制御信号を前記制御装置に出力する処理手順と、
前記アイコン表示処理部が、前記座標取得部により取得された位置座標が示す部屋内の地点を表すための温度変更地点アイコンを前記等高線図に重ねて表示させ、前記第１の操作アイコン及び前記第２の操作アイコンのそれぞれを前記等高線図に重ねて表示させる処理手順と、
前記アイコン表示処理部が、前記温度変更地点アイコンの表示領域のうち、前記座標取得部により取得された位置座標が示す部屋内の地点の表示領域が透明なアイコン、又は、前記温度変更地点アイコンの表示領域のうち、前記座標取得部により取得された位置座標が示す部屋内の地点の表示領域がくり抜かれている枠状のアイコンを、前記温度変更地点アイコンとして、前記等高線図に重ねて表示させる処理手順と、
前記操作受付部により設定温度を下げる操作、又は、前記操作受付部により設定温度を上げる操作が受け付けられると、前記温度変更地点アイコンの色を変化させる処理手順と、
前記アイコン表示処理部が、前記体感温度推定部により推定された体感温度を示す体感温度アイコンを、前記座標取得部により取得された位置座標が示す部屋内の地点の表示領域に表示させる処理手順と、をコンピュータに実行させるための温度設定プログラム。
【発明の詳細な説明】
【技術分野】
【０００１】
本開示は、制御信号を空調機器の制御装置に出力する温度設定装置、温度設定方法及び温度設定プログラムに関するものである。
【背景技術】
【０００２】
従来の空調機器の温度設定装置は、１台の空調機器に対して、１つの設定温度を設定するためのものである（特許文献１を参照）。
【先行技術文献】
【特許文献】
【０００３】
【特許文献１】特開２０１７−６２８３７号公報
【発明の概要】
【発明が解決しようとする課題】
【０００４】
通常、空調機器が設置される部屋内の温度が一様に設定温度となることはない。一方、部屋の利用者は、当該部屋内の所望の地点の温度を設定温度に保ちたいという要望を有することがある。従来の空調機器の温度設定装置は、このような要望に対応できるものではないという課題があった。【０００５】
本開示は、上記のような課題を解決するためになされたもので、空調機器が設置されている部屋内の所望地点の温度を設定することができる温度設定装置、温度設定方法及び温度設定プログラムを得ることを目的とする。
【課題を解決するための手段】
【０００６】
本開示に係る温度設定装置は、空調機器が設置されている部屋の温度分布を表す等高線図の表示データに従って、等高線図を画面に表示させる等高線図表示処理部と、画面に表示されている等高線図への接触が検知されると、等高線図への接触位置を示す位置座標を、設定温度を変更する部屋内の地点を示す位置座標として取得する座標取得部と、座標取得部により取得された位置座標が示す部屋内の地点の設定温度の低下を指示する第１の制御信号、又は、部屋内の地点の設定温度の上昇を指示する第２の制御信号を空調機器の制御装置に出力する制御信号出力部と、座標取得部により取得された位置座標が示す部屋内の地点の設定温度を下げる操作を受け付けるための第１の操作アイコンと、当該部屋内の地点の設定温度を上げる操作を受け付けるための第２の操作アイコンとを前記画面に表示させるアイコン表示処理部と、画面における第１の操作アイコンの表示領域への接触が検知されると、設定温度を下げる操作を受け付け、画面における第２の操作アイコンの表示領域への接触が検知されると、設定温度を上げる操作を受け付ける操作受付部と、前記操作受付部により受け付けられた設定温度を下げる操作、又は、前記操作受付部により受け付けられた設定温度を上げる操作に基づいて、ユーザの体感温度を推定する体感温度推定部と、を備える。
制御信号出力部は、操作受付部により設定温度を下げる操作が受け付けられると、第１の制御信号を制御装置に出力し、操作受付部により設定温度を上げる操作が受け付けられると、第２の制御信号を制御装置に出力する。
アイコン表示処理部は、座標取得部により取得された位置座標が示す部屋内の地点を表すための温度変更地点アイコンを等高線図に重ねて表示させ、第１の操作アイコン及び第２の操作アイコンのそれぞれを等高線図に重ねて表示させ、かつ、アイコン表示処理部は、温度変更地点アイコンの表示領域のうち、座標取得部により取得された位置座標が示す部屋内の地点の表示領域が透明なアイコン、又は、温度変更地点アイコンの表示領域のうち、座標取得部により取得された位置座標が示す部屋内の地点の表示領域がくり抜かれている枠状のアイコンを、温度変更地点アイコンとして、等高線図に重ねて表示させ、操作受付部により設定温度を下げる操作、又は、操作受付部により設定温度を上げる操作が受け付けられると、温度変更地点アイコンの色を変化させる。
またアイコン表示処理部は、前記体感温度推定部により推定された体感温度を示す体感温度アイコンを、前記座標取得部により取得された位置座標が示す部屋内の地点の表示領域に表示させる。
【発明の効果】
【０００７】
本開示によれば、空調機器が設置されている部屋内の所望地点の温度を設定することができる。
【図面の簡単な説明】
【０００８】
【図１】実施の形態１に係る温度設定装置５を含む空調システム１を示す構成図である。
【図２】実施の形態１に係る温度設定装置５のハードウェアを示すハードウェア構成図である。
【図３】温度設定装置５の一部が、ソフトウェア又はファームウェア等によって実現される場合のコンピュータのハードウェア構成図である。
【図４】温度設定装置５の処理手順を示すフローチャートである。
【図５】等高線図表示処理部１２により表示される等高線図の一例を示す説明図である。
【図６】アイコン表示処理部１４により表示される温度変更地点アイコンの一例を示す説明図である。
【図７】アイコン表示処理部１４により表示される第１の操作アイコンの一例及び第２の操作アイコンの一例を示す説明図である。
【図８】実施の形態２に係る温度設定装置５を含む空調システム１を示す構成図である。
【図９】実施の形態２に係る温度設定装置５のハードウェアを示すハードウェア構成図である。
【図１０】アイコン記憶部４２により記憶されている図形データが示す体感温度アイコンの一例を示す説明図である。
【図１１】ユーザの操作によって、体感温度アイコンが遷移する様子を示す説明図である。
【図１２】実施の形態３に係る温度設定装置５を含む空調システム１を示す構成図である。
【図１３】実施の形態４に係る温度設定装置５を含む空調システム１を示す構成図である。
【図１４】アイコン表示処理部４５により表示される経過時間アイコンの一例を示す説明図である。
【図１５】実施の形態５に係る温度設定装置５を含む空調システム１を示す構成図である。
【図１６】実施の形態５に係る温度設定装置５のハードウェアを示すハードウェア構成図である。
【図１７】温度変更地点アイコンを移動させるドラッグ操作を示す説明図である。
【図１８】実施の形態６に係る温度設定装置５を含む空調システム１を示す構成図である。
【図１９】実施の形態６に係る温度設定装置５のハードウェアを示すハードウェア構成図である。
【図２０】温度変更地点アイコンを拡縮させるドラッグ操作を示す説明図である。
【図２１】アイコン表示処理部１４により表示される、複数の温度変更地点アイコンと、複数の第１の操作アイコンと、複数の第２の操作アイコンとを示す説明図である。
【図２２】実施の形態８に係る温度設定装置５を含む空調システム１を示す構成図である。
【図２３】実施の形態８に係る温度設定装置５のハードウェアを示すハードウェア構成図である。
【図２４】等高線図表示処理部１２により表示される等高線図の一例を示す説明図である。
【図２５】温度変更地点アイコンの一例を示す説明図である。
【図２６】体感温度アイコンの一例を示す説明図である。
【発明を実施するための形態】
【０００９】
以下、本開示をより詳細に説明するために、本開示を実施するための形態について、添付の図面に従って説明する。
【００１０】
実施の形態１．
図１は、実施の形態１に係る温度設定装置５を含む空調システム１を示す構成図である。
図２は、実施の形態１に係る温度設定装置５のハードウェアを示すハードウェア構成図である。
空調システム１は、Ｎ台の空調機器２と、制御装置３と、ネットワーク４と、温度設定装置５とを備えている。Ｎは、１以上の整数である。
空調機器２は、例えば、エアコン又は床暖房装置であり、部屋に設置されている。
空調機器２が設置されている部屋の複数の地点には、温度を観測する温度センサー（図示せず）が設置されている。
【００１１】
制御装置３は、図示せぬ複数の温度センサーのそれぞれから温度の観測値を取得し、それぞれの観測値に基づいて、空調機器２が設置されている部屋の温度分布を表す等高線図の表示データを生成する。部屋の温度分布を表す等高線図は、床から１ｍの高さ、又は、床から１．５ｍの高さ等にある２次元平面の温度分布を表す等高線図である。温度の観測値に基づいて、等高線図の表示データを生成する処理自体は、公知の技術であるため詳細な説明を省略する。
制御装置３は、等高線図の表示データを、ネットワーク４を介して、温度設定装置５に出力する。
制御装置３は、温度設定装置５から出力された後述する第１の制御信号、又は、温度設定装置５から出力された後述する第２の制御信号に従って、Ｎ台の空調機器２のそれぞれを制御することによって、Ｎ台の空調機器２が設置されている部屋内の後述する所望地点の温度を制御する。
図１に示す空調システム１は、Ｎ台の空調機器２と別個に制御装置３を備えている。しかし、これは一例に過ぎず、Ｎ台の空調機器２のそれぞれが制御装置３を備えていてもよい。
【００１２】
ネットワーク４は、インターネット又は無線ＬＡＮ（Ｌｏｃａｌ  Ａｒｅａ  Ｎｅｔｗｏｒｋ）等の通信網である。
温度設定装置５は、所望地点の設定温度の低下を指示する第１の制御信号、又は、所望地点の設定温度の上昇を指示する第２の制御信号を、ネットワーク４を介して、制御装置３に出力する。
温度設定装置５は、例えば、組み込み機器のコントローラ、スマートホン、タブレット又はパーソナルコンピュータのいずれかに実装されている。
温度設定装置５は、表示データ取得部１１、等高線図表示処理部１２、座標取得部１３、アイコン表示処理部１４、操作受付部１５、制御信号出力部１６及びタッチパネル１７を備えている。
図１に示す温度設定装置５は、タッチパネル１７を備えている。しかし、これは一例に過ぎず、タッチパネル１７は、温度設定装置５の外部に設けられていてもよい。
【００１３】
表示データ取得部１１は、例えば、図２に示す表示データ取得回路２１によって実現される。
表示データ取得部１１は、ネットワーク４を介して、制御装置３と接続されている。
表示データ取得部１１は、制御装置３から出力された等高線図の表示データを取得し、表示データを等高線図表示処理部１２に出力する。
【００１４】
等高線図表示処理部１２は、例えば、図２に示す等高線図表示処理回路２２によって実現される。
等高線図表示処理部１２は、表示データ取得部１１から出力された等高線図の表示データに従って、等高線図をタッチパネル１７の画面に表示させる。タッチパネル１７の画面は、後述するように、タッチパネル１７が備える表示器の画面である。
【００１５】
座標取得部１３は、例えば、図２に示す座標取得回路２３によって実現される。
座標取得部１３は、タッチパネル１７の画面に表示されている等高線図への接触が検知されると、等高線図への接触位置を示す位置座標を、設定温度を変更する地点を示す位置座標として取得する。即ち、座標取得部１３は、タッチパネル１７から出力された位置座標を、設定温度を変更する地点を示す位置座標として取得する。
以下、設定温度を変更する地点を、所望地点と称することがある。タッチパネル１７から出力された位置座標は、等高線図に対するユーザの指等の接触位置を示す位置座標である。
座標取得部１３は、所望地点を示す位置座標をアイコン表示処理部１４及び制御信号出力部１６のそれぞれに出力する。
【００１６】
アイコン表示処理部１４は、例えば、図２に示すアイコン表示処理回路２４によって実現される。
アイコン表示処理部１４は、所望地点を表すための温度変更地点アイコンを、タッチパネル１７の画面に表示されている等高線図に重ねて表示させる。
アイコン表示処理部１４は、所望地点の設定温度を下げる操作を受け付けるための第１の操作アイコンを等高線図に重ねて表示させる。
アイコン表示処理部１４は、所望地点の設定温度を上げる操作を受け付けるための第２の操作アイコンを等高線図に重ねて表示させる。
【００１７】
操作受付部１５は、例えば、図２に示す操作受付回路２５によって実現される。
操作受付部１５は、タッチパネル１７の画面における第１の操作アイコンの表示領域への接触が検知されると、設定温度を下げる操作を受け付ける処理を実施する。即ち、操作受付部１５は、タッチパネル１７から、ユーザが第１の操作アイコンの表示領域に触れた旨を示す第１の操作情報を受けると、設定温度を下げる操作を受け付ける処理を実施する。
操作受付部１５は、タッチパネル１７の画面における第２の操作アイコンの表示領域への接触が検知されると、設定温度を上げる操作を受け付ける処理を実施する。即ち、操作受付部１５は、タッチパネル１７から、ユーザが第２の操作アイコンの表示領域に触れた旨を示す第２の操作情報を受けると、設定温度を上げる操作を受け付ける処理を実施する。
なお、設定温度を下げる操作を受け付けるとは、ユーザが第１の操作アイコンの表示領域に触れたことをタッチパネル１７が検知すると、温度設定装置５が設定温度を下げることを受け付けたことを意味する。
設定温度を上げる操作を受け付けるとは、ユーザが第２の操作アイコンの表示領域に触れたことをタッチパネル１７が検知すると、温度設定装置５が設定温度を上げることを受け付けたことを意味する。
【００１８】
制御信号出力部１６は、例えば、図２に示す制御信号出力回路２６によって実現される。
制御信号出力部１６は、ネットワーク４を介して、制御装置３と接続されている。
制御信号出力部１６は、座標取得部１３により取得された位置座標が示す地点である所望地点の設定温度の低下を指示する第１の制御信号、又は、所望地点の設定温度の上昇を指示する第２の制御信号を制御装置３に出力する。
即ち、制御信号出力部１６は、操作受付部１５により設定温度を下げる操作が受け付けられると、所望地点の設定温度の低下を指示する第１の制御信号を、ネットワーク４を介して、制御装置３に出力する。
制御信号出力部１６は、操作受付部１５により設定温度を上げる操作が受け付けられると、所望地点の設定温度の上昇を指示する第２の制御信号を、ネットワーク４を介して、制御装置３に出力する。
【００１９】
タッチパネル１７は、画面を有する表示器と、当該画面に施されているタッチセンサとを備えている。
タッチパネル１７は、等高線図、温度変更地点アイコン、第１の操作アイコン及び第２の操作アイコンのそれぞれを画面に表示する。
タッチパネル１７は、等高線図を画面に表示した後に、等高線図に対するユーザの指等の接触検知処理を行う。
タッチパネル１７は、ユーザの指等の接触を検知すると、指等の接触位置を示す位置座標を座標取得部１３に出力する。
タッチパネル１７は、第１の操作アイコン及び第２の操作アイコンのそれぞれを画面に表示した後に、第１の操作アイコンの表示領域及び第２の操作アイコンの表示領域のそれぞれに対するユーザの指等の接触検知処理を行う。
タッチパネル１７は、第１の操作アイコンの表示領域への接触を検知すると、ユーザが第１の操作アイコンの表示領域に触れた旨を示す第１の操作情報を操作受付部１５に出力する。
タッチパネル１７は、第２の操作アイコンの表示領域への接触を検知すると、ユーザが第２の操作アイコンの表示領域に触れた旨を示す第２の操作情報を操作受付部１５に出力する。
【００２０】
図１に示す空調システム１では、温度設定装置５が、タッチパネル１７を備えている。しかし、これは一例に過ぎず、温度設定装置５が、タッチパネル１７の代わりに、ディスプレイと、キーボード又はマウス等の入力インタフェース部とを備えていてもよい。当該ディスプレイは、等高線図、温度変更地点アイコン、第１の操作アイコン及び第２の操作アイコンのそれぞれを表示するものである。当該入力インタフェース部は、等高線図内の位置座標のうち、所望地点を示す位置座標が入力されると、所望地点を示す位置座標を座標取得部１３及びアイコン表示処理部１４のそれぞれに出力する。また、当該入力インタフェース部は、第１の操作情報又は第２の操作情報のいずれかを操作受付部１５に出力するものである。
【００２１】
図１では、温度設定装置５の一部の構成要素である表示データ取得部１１、等高線図表示処理部１２、座標取得部１３、アイコン表示処理部１４、操作受付部１５及び制御信号出力部１６のそれぞれが、図２に示すような専用のハードウェアによって実現されるものを想定している。即ち、温度設定装置５の一部が、表示データ取得回路２１、等高線図表示処理回路２２、座標取得回路２３、アイコン表示処理回路２４、操作受付回路２５及び制御信号出力回路２６によって実現されるものを想定している。
表示データ取得回路２１、等高線図表示処理回路２２、座標取得回路２３、アイコン表示処理回路２４、操作受付回路２５及び制御信号出力回路２６のそれぞれは、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、又は、これらを組み合わせたものが該当する。
【００２２】
温度設定装置５の一部の構成要素は、専用のハードウェアによって実現されるものに限るものではなく、温度設定装置５の一部が、ソフトウェア、ファームウェア、又は、ソフトウェアとファームウェアとの組み合わせによって実現されるものであってもよい。
ソフトウェア又はファームウェアは、プログラムとして、コンピュータのメモリに格納される。コンピュータは、プログラムを実行するハードウェアを意味し、例えば、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、プロセッサ、あるいは、ＤＳＰ（Ｄｉｇｉｔａｌ  Ｓｉｇｎａｌ  Ｐｒｏｃｅｓｓｏｒ）が該当する。
【００２３】
図３は、温度設定装置５の一部が、ソフトウェア又はファームウェア等によって実現される場合のコンピュータのハードウェア構成図である。
温度設定装置５の一部が、ソフトウェア又はファームウェア等によって実現される場合、表示データ取得部１１、等高線図表示処理部１２、座標取得部１３、アイコン表示処理部１４、操作受付部１５及び制御信号出力部１６におけるそれぞれの処理手順をコンピュータに実行させるためのプログラムである温度設定プログラムがメモリ３１に格納される。そして、コンピュータのプロセッサ３２がメモリ３１に格納されている温度設定プログラムを実行する。
【００２４】
また、図２では、温度設定装置５の一部の構成要素のそれぞれが専用のハードウェアによって実現される例を示し、図３では、温度設定装置５の一部が、ソフトウェア又はファームウェア等によって実現される例を示している。しかし、これは一例に過ぎず、温度設定装置５における一部の構成要素のうち、さらに一部の構成要素が専用のハードウェアによって実現され、残りの構成要素がソフトウェア又はファームウェア等によって実現されるものであってもよい。
【００２５】
次に、図１に示す空調システム１の動作について説明する。
図４は、温度設定装置５の処理手順を示すフローチャートである。
制御装置３は、図示せぬ複数の温度センサーのそれぞれから温度の観測値を取得する。
制御装置３は、取得したそれぞれの観測値に基づいて、空調機器２が設置されている部屋の温度分布を表す等高線図の表示データを生成する。
制御装置３は、等高線図の表示データを、ネットワーク４を介して、温度設定装置５に出力する。
【００２６】
温度設定装置５の表示データ取得部１１は、制御装置３から出力された等高線図の表示データを取得する（図４のステップＳＴ１）。
表示データ取得部１１は、取得した等高線図の表示データを等高線図表示処理部１２に出力する。
【００２７】
等高線図表示処理部１２は、表示データ取得部１１から等高線図の表示データを受けると、表示データに従って、部屋の温度分布を表す等高線図をタッチパネル１７の画面に表示させる（図４のステップＳＴ２）。
図５は、等高線図表示処理部１２により表示される等高線図の一例を示す説明図である。
【００２８】
タッチパネル１７は、等高線図を表示した後、等高線図に対するユーザの指等の接触検知処理を行う。
タッチパネル１７は、ユーザの指等の接触を検知すると、指等の接触位置を示す位置座標を座標取得部１３に出力する。
座標取得部１３は、タッチパネル１７から出力された位置座標を、設定温度を変更する地点を示す位置座標として取得する（図４のステップＳＴ３）。
座標取得部１３は、設定温度を変更する地点である所望地点を示す位置座標をアイコン表示処理部１４及び制御信号出力部１６のそれぞれに出力する。
【００２９】
アイコン表示処理部１４は、座標取得部１３から、所望地点を示す位置座標を受けると、図６に示すように、所望地点を表す温度変更地点アイコンをタッチパネル１７の画面に表示されている等高線図に重ねて表示させる（図４のステップＳＴ４）。
図６は、アイコン表示処理部１４により表示される温度変更地点アイコンの一例を示す説明図である。
図６に示されている温度変更地点アイコンは、温度変更地点アイコンの表示領域のうち、所望地点の表示領域が透明なアイコンである。即ち、図６に示されている温度変更地点アイコンは、温度変更地点アイコンの表示領域のうち、所望地点の表示領域がくり抜かれている枠状のアイコンである。
図６では、枠状のアイコンとして、リングのアイコンが表示されている。温度変更地点アイコンは、所望地点が透明なアイコンであるため、アイコン表示処理部１４が温度変更地点アイコンを等高線図に重ねて表示させても、所望地点の表示領域では、等高線図が透けて見えている。図６に示されている温度変更地点アイコンでは、リングの内側が所望地点の表示領域である。
図６に示されている温度変更地点アイコンでは、リングの中心の位置座標が、所望地点を示す位置座標と対応している。
【００３０】
また、アイコン表示処理部１４は、図７に示すように、所望地点の設定温度を下げる操作を受け付けるための第１の操作アイコンと、所望地点の設定温度を上げる操作を受け付けるための第２の操作アイコンとを等高線図に重ねて表示させる（図４のステップＳＴ５）。
図７は、アイコン表示処理部１４により表示される第１の操作アイコンの一例及び第２の操作アイコンの一例を示す説明図である。
図７に示されている第１の操作アイコンでは、所望地点の設定温度を下げる操作を受け付けるためのアイコンとして、“あつい”という文字の吹き出しイラストが用いられている。
図７に示されている第２の操作アイコンでは、所望地点の設定温度を上げる操作を受け付けるためのアイコンとして、“さむい”という文字の吹き出しイラストが用いられている。
図７の例では、アイコン表示処理部１４が、温度変更地点アイコンにおけるリングの部分と重なる位置に、第１の操作アイコン及び第２の操作アイコンのそれぞれを表示させている。
【００３１】
タッチパネル１７は、第１の操作アイコン及び第２の操作アイコンのそれぞれを表示した後、第１の操作アイコンの表示領域に対するユーザの指等の接触検知処理と、第２の操作アイコンの表示領域に対するユーザの指等の接触検知処理とを行う。
タッチパネル１７は、第１の操作アイコンの表示領域に対する指等の接触を検知すると、ユーザが第１の操作アイコンの表示領域に触れた旨を示す第１の操作情報を操作受付部１５に出力する。
タッチパネル１７は、第２の操作アイコンの表示領域に対する指等の接触を検知すると、ユーザが第２の操作アイコンの表示領域に触れた旨を示す第２の操作情報を操作受付部１５に出力する。
【００３２】
操作受付部１５は、タッチパネル１７から第１の操作情報を受けると、設定温度を下げる操作を受け付ける（図４のステップＳＴ６）。
操作受付部１５は、設定温度を下げる操作を受け付けると、設定温度を下げる操作を受け付けた旨を示す第１の操作受付情報を制御信号出力部１６に出力する。
操作受付部１５は、タッチパネル１７から第２の操作情報を受けると、設定温度を上げる操作を受け付ける（図４のステップＳＴ６）。
操作受付部１５は、設定温度を上げる操作を受け付けると、設定温度を上げる操作を受け付けた旨を示す第２の操作受付情報を制御信号出力部１６に出力する。
【００３３】
制御信号出力部１６は、操作受付部１５から第１の操作受付情報を受けると（図４のステップＳＴ７：ＹＥＳの場合）、所望地点の設定温度の低下を指示する第１の制御信号を、ネットワーク４を介して、制御装置３に出力する（図４のステップＳＴ９）。第１の制御信号は、座標取得部１３から出力された位置座標を含んでいる。
制御信号出力部１６は、操作受付部１５から第２の操作受付情報を受けると（図４のステップＳＴ７：ＮＯの場合、図４のステップＳＴ８：ＹＥＳの場合）、所望地点の設定温度の上昇を指示する第２の制御信号を、ネットワーク４を介して、制御装置３に出力する（図４のステップＳＴ１０）。第２の制御信号は、座標取得部１３から出力された位置座標を含んでいる。
制御信号出力部１６は、操作受付部１５から、第１の操作受付情報及び第２の操作受付情報のいずれも受けていなければ（図４のステップＳＴ７：ＮＯの場合、図４のステップＳＴ８：ＮＯの場合）、第１の操作受付情報又は第２の操作受付情報を受けるまで待機する。
【００３４】
制御装置３は、温度設定装置５から第１の制御信号を受けると、第１の制御信号に従って、Ｎ台の空調機器２が設置されている部屋内の所望地点の設定温度を下げる設定変更を行う。
制御装置３は、温度設定装置５から第２の制御信号を受けると、第２の制御信号に従って、Ｎ台の空調機器２が設置されている部屋内の所望地点の設定温度を上げる設定変更を行う。
制御装置３の内部メモリには、座標取得部１３から出力された位置座標と、部屋内の地点との対応関係が格納されている。また、制御装置３の内部メモリには、部屋内のそれぞれの地点の設定温度が格納されている。
制御装置３は、Ｎ台の空調機器２が設置されている部屋内の所望地点の温度が、設定変更後の設定温度と一致するように、Ｎ台の空調機器２のそれぞれを制御する。
所望地点の温度が、設定変更後の設定温度と一致するように、制御装置３が、Ｎ台の空調機器２のそれぞれを制御する処理自体は、公知の技術であるため詳細な説明を省略するが、例えば、以下のような制御が考えられる。
制御装置３は、所望地点の温度、所望地点の周辺の温度及び所望地点の設定温度に基づいて、Ｎ台の空調機器２のそれぞれから出力される風の向き、風量及び風の温度のそれぞれを制御する。
【００３５】
以上の実施の形態１では、空調機器２が設置されている部屋の温度分布を表す等高線図の表示データに従って、等高線図を画面に表示させる等高線図表示処理部１２と、画面に表示されている等高線図への接触が検知されると、等高線図への接触位置を示す位置座標を、設定温度を変更する地点を示す位置座標として取得する座標取得部１３と、座標取得部１３により取得された位置座標が示す地点の設定温度の低下を指示する第１の制御信号、又は、地点の設定温度の上昇を指示する第２の制御信号を空調機器２の制御装置３に出力する制御信号出力部１６とを備えるように、温度設定装置５を構成した。
したがって、温度設定装置５は、空調機器２が設置されている部屋内の所望地点の温度を設定することができる。
【００３６】
図１に示す温度設定装置５では、空調機器２が設置されている部屋内の所望地点の温度を設定している。しかし、これは一例に過ぎず、温度設定装置５が、所望地点の温度を設定するほかに、空調機器２が設置されている部屋内の所望地点の湿度を設定するものであってもよいし、所望地点の温度の代わりに、所望地点の湿度を設定するものであってもよい。
【００３７】
温度設定装置５が、部屋内の所望地点の湿度を設定する装置である場合、制御装置３は、空調機器２が設置されている部屋の湿度分布を表す等高線図の表示データを温度設定装置５に出力する。
等高線図表示処理部１２は、制御装置３から出力された表示データに従って、等高線図をタッチパネル１７の画面に表示させる。
座標取得部１３は、タッチパネル１７の画面に表示されている等高線図への接触が検知されると、等高線図への接触位置を示す位置座標を、設定湿度を変更する地点を示す位置座標として取得する。
アイコン表示処理部１４は、座標取得部１３により取得された位置座標が示す地点の設定湿度を下げる操作を受け付けるための第１の操作アイコンと、当該地点の設定湿度を上げる操作を受け付けるための第２の操作アイコンとをタッチパネル１７の画面に表示させる。
操作受付部１５は、タッチパネル１７の画面における第１の操作アイコンの表示領域への接触が検知されると、設定湿度を下げる操作を受け付け、タッチパネル１７の画面における第２の操作アイコンの表示領域への接触が検知されると、設定湿度を上げる操作を受け付ける。
制御信号出力部１６は、操作受付部１５により設定湿度を下げる操作が受け付けられると、第１の制御信号の代わりに、当該地点の設定湿度の低下を指示する第３の制御信号を制御装置３に出力する。
制御信号出力部１６は、操作受付部１５により設定湿度を上げる操作が受け付けられると、第２の制御信号の代わりに、当該地点の設定湿度の上昇を指示する第４の制御信号を制御装置３に出力する。
【００３８】
制御装置３は、温度設定装置５から第３の制御信号を受けると、第３の制御信号に従って、Ｎ台の空調機器２が設置されている部屋内の所望地点の設定湿度を下げる設定変更を行う。
制御装置３は、温度設定装置５から第４の制御信号を受けると、第４の制御信号に従って、Ｎ台の空調機器２が設置されている部屋内の所望地点の設定湿度を上げる設定変更を行う。
制御装置３の内部メモリには、部屋内のそれぞれの地点の設定湿度が格納されている。
制御装置３は、Ｎ台の空調機器２が設置されている部屋内の所望地点の湿度が、設定変更後の設定湿度と一致するように、Ｎ台の空調機器２のそれぞれを制御する。
所望地点の湿度が、設定変更後の設定湿度と一致するように、制御装置３が、Ｎ台の空調機器２のそれぞれを制御する処理自体は、公知の技術であるため詳細な説明を省略する。
【００３９】
実施の形態２．
実施の形態２では、ユーザの体感温度を示す体感温度アイコンを表示する温度設定装置について説明する。
図８は、実施の形態２に係る温度設定装置５を含む空調システム１を示す構成図である。図８において、図１と同一符号は同一又は相当部分を示すので説明を省略する。
図９は、実施の形態２に係る温度設定装置５のハードウェアを示すハードウェア構成図である。図９において、図２と同一符号は同一又は相当部分を示すので説明を省略する。
【００４０】
体感温度推定部４１は、例えば、図９に示す体感温度推定回路５１によって実現される。
体感温度推定部４１は、操作受付部１５により受け付けられた設定温度を下げる操作、又は、操作受付部１５により受け付けられた設定温度を上げる操作に基づいて、ユーザの体感温度を推定する。
体感温度推定部４１は、体感温度の推定結果を後述するアイコン表示処理部４３に出力する。
【００４１】
アイコン記憶部４２は、例えば、図９に示すアイコン記憶回路５２によって実現される。
アイコン記憶部４２は、複数の体感温度アイコンの図形データを記憶している。
アイコン表示処理部４３は、例えば、図９に示すアイコン表示処理回路５３によって実現される。
アイコン表示処理部４３は、図１に示すアイコン表示処理部１４と同様に、温度変更地点アイコン、第１の操作アイコン及び第２の操作アイコンのそれぞれを、タッチパネル１７の画面に表示されている等高線図に重ねて表示させる。
アイコン表示処理部４３は、アイコン記憶部４２により記憶されている複数の図形データの中から、体感温度推定部４１により推定された体感温度を示す体感温度アイコンの図形データを取得する。
アイコン表示処理部４３は、取得した図形データに従って、体感温度アイコンを、座標取得部１３により取得された位置座標が示す地点である所望地点の表示領域に表示させる。
【００４２】
図８では、温度設定装置５の一部の構成要素である表示データ取得部１１、等高線図表示処理部１２、座標取得部１３、操作受付部１５、制御信号出力部１６、体感温度推定部４１、アイコン記憶部４２及びアイコン表示処理部４３のそれぞれが、図９に示すような専用のハードウェアによって実現されるものを想定している。即ち、温度設定装置５の一部が、表示データ取得回路２１、等高線図表示処理回路２２、座標取得回路２３、操作受付回路２５、制御信号出力回路２６、体感温度推定回路５１、アイコン記憶回路５２及びアイコン表示処理回路５３によって実現されるものを想定している。
【００４３】
アイコン記憶回路５２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）等の不揮発性又は揮発性の半導体メモリ、磁気ディスク、フレキシブルディスク、光ディスク、コンパクトディスク、ミニディスク、あるいは、ＤＶＤ（Ｄｉｇｉｔａｌ  Ｖｅｒｓａｔｉｌｅ  Ｄｉｓｃ）が該当する。
表示データ取得回路２１、等高線図表示処理回路２２、座標取得回路２３、操作受付回路２５、制御信号出力回路２６、体感温度推定回路５１及びアイコン表示処理回路５３のそれぞれは、例えば、単一回路、複合回路、プログラム化したプロセッサ、並列プログラム化したプロセッサ、ＡＳＩＣ、ＦＰＧＡ、又は、これらを組み合わせたものが該当する。
【００４４】
温度設定装置５の一部の構成要素は、専用のハードウェアによって実現されるものに限るものではなく、温度設定装置５の一部が、ソフトウェア、ファームウェア、又は、ソフトウェアとファームウェアとの組み合わせによって実現されるものであってもよい。
温度設定装置５の一部が、ソフトウェア又はファームウェア等によって実現される場合、アイコン記憶部４２が図３に示すコンピュータのメモリ３１上に構成される。表示データ取得部１１、等高線図表示処理部１２、座標取得部１３、操作受付部１５、制御信号出力部１６、体感温度推定部４１及びアイコン表示処理部４３におけるそれぞれの処理手順をコンピュータに実行させるためのプログラムである温度設定プログラムがメモリ３１に格納される。そして、コンピュータのプロセッサ３２がメモリ３１に格納されている温度設定プログラムを実行する。
【００４５】
また、図８では、温度設定装置５の一部の構成要素のそれぞれが専用のハードウェアによって実現される例を示し、図９では、温度設定装置５の一部が、ソフトウェア又はファームウェア等によって実現される例を示している。しかし、これは一例に過ぎず、温度設定装置５における一部の構成要素のうち、さらに一部の構成要素が専用のハードウェアによって実現され、残りの構成要素がソフトウェア又はファームウェア等によって実現されるものであってもよい。
【００４６】
次に、図８に示す空調システム１の動作について説明する。
ただし、体感温度推定部４１、アイコン記憶部４２及びアイコン表示処理部４３以外は、図１に示す空調システム１と同様であるため、ここでは、主に、体感温度推定部４１、アイコン記憶部４２及びアイコン表示処理部４３についての動作を説明する。
【００４７】
アイコン記憶部４２は、図１０に示すような体感温度アイコンの図形データを記憶している。
図１０は、アイコン記憶部４２により記憶されている図形データが示す体感温度アイコンの一例を示す説明図である。
図１０は、ユーザの体感温度が“適温”である旨を示す体感温度アイコンと、体感温度が“少し暑い”旨を示す体感温度アイコンと、体感温度が“すごく暑い”旨を示す体感温度アイコンと、体感温度が“少し寒い”旨を示す体感温度アイコンと、体感温度が“すごく寒い”旨を示す体感温度アイコンとを示している。
【００４８】
まず、アイコン表示処理部４３は、アイコン記憶部４２により記憶されている複数の図形データの中から、“適温”である旨を示す体感温度アイコンの図形データを取得する。
アイコン表示処理部４３は、図１１に示すように、取得した図形データに従って、“適温”である旨を示す体感温度アイコンを、所望地点の表示領域に表示させる。
図１１は、ユーザの操作によって、体感温度アイコンが遷移する様子を示す説明図である。
【００４９】
図８に示す空調システム１では、ユーザが少し暑く感じているときは、例えば、ユーザが第１の操作アイコンに１回触れ、ユーザがすごく暑く感じているときは、例えば、ユーザが第１の操作アイコンに２回触れるものとする。
また、図８に示す空調システム１では、ユーザが少し寒く感じているときは、例えば、ユーザが第２の操作アイコンに１回触れ、ユーザがすごく寒く感じているときは、例えば、ユーザが第２の操作アイコンに２回触れるものとする。
【００５０】
タッチパネル１７は、ユーザが少し暑く感じているとき、ユーザが第１の操作アイコンに１回触れると、１つの第１の操作情報を操作受付部１５に出力する。
操作受付部１５は、タッチパネル１７から１つの第１の操作情報を受けると、設定温度を下げる操作を受け付けた旨を示す第１の操作受付情報を制御信号出力部１６及び体感温度推定部４１のそれぞれに１回出力する。
タッチパネル１７は、ユーザがすごく暑く感じているとき、ユーザが第１の操作アイコンに２回触れると、２つの第１の操作情報を操作受付部１５に出力する。
操作受付部１５は、タッチパネル１７から２つの第１の操作情報を受けると、第１の操作受付情報を制御信号出力部１６及び体感温度推定部４１のそれぞれに２回出力する。
【００５１】
タッチパネル１７は、ユーザが少し寒く感じているとき、ユーザが第２の操作アイコンに１回触れると、１つの第２の操作情報を操作受付部１５に出力する。
操作受付部１５は、タッチパネル１７から１つの第２の操作情報を受けると、設定温度を上げる操作を受け付けた旨を示す第２の操作受付情報を制御信号出力部１６及び体感温度推定部４１のそれぞれに１回出力する。
タッチパネル１７は、ユーザがすごく寒く感じているとき、ユーザが第２の操作アイコンに２回触れると、２つの第２の操作情報を操作受付部１５に出力する。
操作受付部１５は、タッチパネル１７から２つの第２の操作情報を受けると、第２の操作受付情報を制御信号出力部１６及び体感温度推定部４１のそれぞれに２回出力する。
【００５２】
体感温度推定部４１は、操作受付部１５から出力された第１の操作受付情報、又は、操作受付部１５から出力された第２の操作受付情報に基づいて、ユーザの体感温度を推定する。
以下、体感温度推定部４１による体感温度の推定処理を具体的に説明する。
体感温度推定部４１は、操作受付部１５から、第１の操作受付情報を１回受けると、ユーザの体感として、“少し暑く感じている”と推定する。
体感温度推定部４１は、操作受付部１５から、第１の操作受付情報を２回受けると、ユーザの体感として、“すごく暑く感じている”と推定する。
体感温度推定部４１は、操作受付部１５から、第２の操作受付情報を１回受けると、ユーザの体感として、“少し寒く感じている”と推定する。
体感温度推定部４１は、操作受付部１５から、第２の操作受付情報を２回受けると、ユーザの体感として、“すごく寒く感じている”と推定する。
体感温度推定部４１は、体感温度の推定結果をアイコン表示処理部４３に出力する。
【００５３】
アイコン表示処理部４３は、体感温度推定部４１から体感温度の推定結果を受けると、アイコン記憶部４２により記憶されている複数の図形データの中から、体感温度推定部４１により推定された体感温度を示す体感温度アイコンの図形データを取得する。
体感温度推定部４１により推定された体感温度が、例えば、“少し暑く感じている”であれば、アイコン表示処理部４３は、体感温度が“少し暑い”旨を示す体感温度アイコンの図形データを取得する。
アイコン表示処理部４３は、取得した図形データに従って、体感温度アイコンを、所望地点の表示領域に表示させる。
【００５４】
図１１は、体感温度が“適温”である旨を示す体感温度アイコンが表示されているときに、ユーザが第１の操作アイコンに１回触れると、表示されている体感温度アイコンが、体感温度が“少し暑い”旨を示す体感温度アイコンに変更されることを表している。また、ユーザが第１の操作アイコンに２回触れると、表示されている体感温度アイコンが、体感温度が“すごく暑い”旨を示す体感温度アイコンに変更されることを表している。
図１１は、体感温度が“適温”である旨を示す体感温度アイコンが表示されているときに、ユーザが第２の操作アイコンに１回触れると、表示されている体感温度アイコンが、体感温度が“少し寒い”旨を示す体感温度アイコンに変更されることを表している。また、ユーザが第２の操作アイコンに２回触れると、表示されている体感温度アイコンが、体感温度が“すごく寒い”旨を示す体感温度アイコンに変更されることを表している。
【００５５】
なお、体感温度が“すごく寒い”旨を示す体感温度アイコンが表示されているときに、ユーザが第１の操作アイコンに１回触れると、表示されている体感温度アイコンが、体感温度が“少し寒い”旨を示す体感温度アイコンに変更される。また、ユーザが第１の操作アイコンに２回触れると、表示されている体感温度アイコンが、体感温度が“適温”である旨を示す体感温度アイコンに変更される。
また、体感温度が“すごく暑い”旨を示す体感温度アイコンが表示されているときに、ユーザが第２の操作アイコンに１回触れると、表示されている体感温度アイコンが、体感温度が“少し暑い”旨を示す体感温度アイコンに変更される。また、ユーザが第２の操作アイコンに２回触れると、表示されている体感温度アイコンが、体感温度が“適温”である旨を示す体感温度アイコンに変更される。
【００５６】
以上の実施の形態２では、操作受付部１５により受け付けられた設定温度を下げる操作、又は、操作受付部１５により受け付けられた設定温度を上げる操作に基づいて、ユーザの体感温度を推定する体感温度推定部４１を備え、アイコン表示処理部４３が、体感温度推定部４１により推定された体感温度を示す体感温度アイコンを、座標取得部１３により取得された位置座標が示す地点の表示領域に表示させるように、図８に示す温度設定装置５を構成した。したがって、図８に示す温度設定装置５は、図１に示す温度設定装置５と同様に、空調機器２が設置されている部屋内の所望地点の温度を設定することができるほか、所望地点におけるユーザの体感温度を視覚的に明示することができる。
【００５７】
図８に示す温度設定装置５では、アイコン表示処理部４３が、体感温度推定部４１により推定された体感温度を示す体感温度アイコンを表示させている。アイコン表示処理部４３は、例えば、図示せぬスピーカを用いて、効果音を鳴らす機能を更に備えていてもよい。スピーカは、アイコン表示処理部４３に内蔵されていてもよいし、アイコン表示処理部４３の外部に設けられていてもよい。
具体的には、アイコン表示処理部４３は、スピーカを用いて、体感温度推定部４１により推定された体感温度を表す第１の効果音を鳴らす。体感温度推定部４１により推定された体感温度が、例えば、“少し暑く感じている”であれば、アイコン表示処理部４３は、“少し暑い”旨を表す音声を、第１の効果音として、スピーカから出力させる。また、体感温度推定部４１により推定された体感温度が、例えば、“すごく寒く感じている”であれば、アイコン表示処理部４３は、“すごく寒い”旨を表す音声を、第１の効果音として、スピーカから出力させる。
また、アイコン表示処理部４３は、例えば、スピーカを用いて、操作受付部１５により操作が受け付けられることによって、設定温度が下がるのか、上がるのかを表す第２の効果音を鳴らす。操作受付部１５により受け付けられた操作が設定温度を下げる操作であれば、アイコン表示処理部４３は、“設定温度が下がる”旨を表す音声を、第２の効果音として、スピーカから出力させる。また、操作受付部１５により受け付けられた操作が設定温度を上げる操作であれば、アイコン表示処理部４３は、“設定温度が上がる”旨を表す音声を、第２の効果音として、スピーカから出力させる。
【００５８】
実施の形態３．
実施の形態３では、操作受付部１５により設定温度を下げる操作、又は、操作受付部１５により設定温度を上げる操作が受け付けられると、アイコン表示処理部４４が、温度変更地点アイコンの色を変化させる温度設定装置５について説明する。
【００５９】
図１２は、実施の形態３に係る温度設定装置５を含む空調システム１を示す構成図である。図１２において、図１と同一符号は同一又は相当部分を示すので説明を省略する。
アイコン表示処理部４４は、例えば、図２に示すアイコン表示処理回路２４によって実現される。
アイコン表示処理部４４は、図１に示すアイコン表示処理部１４と同様に、座標取得部１３により受け付けられた地点である所望地点を示す温度変更地点アイコンを、タッチパネル１７の画面に表示されている等高線図に重ねて表示させる。
アイコン表示処理部４４は、図１に示すアイコン表示処理部１４と同様に、第１の操作アイコン及び第２の操作アイコンのそれぞれを等高線図に重ねて表示させる。
アイコン表示処理部４４は、操作受付部１５により設定温度を下げる操作、又は、操作受付部１５により設定温度を上げる操作が受け付けられると、温度変更地点アイコンの色を変化させる。
図１２に示す温度設定装置５では、アイコン表示処理部４４が図１に示す温度設定装置５に適用されている。しかし、これは一例に過ぎず、アイコン表示処理部４４が図８に示す温度設定装置５に適用されていてもよい。
【００６０】
次に、図１２に示す空調システム１の動作について説明する。
アイコン表示処理部４４以外は、図１に示す空調システム１と同様であるため、ここでは、アイコン表示処理部４４についての動作を説明する。
アイコン表示処理部４４は、図１に示すアイコン表示処理部１４と同様に、温度変更地点アイコンを等高線図表示処理部１２により表示されている等高線図に重ねて表示させ、第１の操作アイコン及び第２の操作アイコンのそれぞれを等高線図に重ねて表示させる。
【００６１】
アイコン表示処理部４４は、温度変更地点アイコンを表示させた後、操作受付部１５により設定温度を下げる操作が１回受け付けられると、温度変更地点アイコンにおけるリング部分の色を、例えば、水色に変化させる。アイコン表示処理部４４は、操作受付部１５により設定温度を下げる操作が２回受け付けられると、温度変更地点アイコンにおけるリングの色を、例えば、青色に変化させる。
アイコン表示処理部４４は、温度変更地点アイコンを表示させた後、操作受付部１５により設定温度を上げる操作が１回受け付けられると、温度変更地点アイコンにおけるリングの色を、例えば、オレンジ色に変化させる。アイコン表示処理部４４は、操作受付部１５により設定温度を上げる操作が２回受け付けられると、温度変更地点アイコンにおけるリングの色を、例えば、赤色に変化させる。
【００６２】
ここでは、アイコン表示処理部４４が、温度変更地点アイコンにおけるリングの色を変化させている。しかし、これは一例に過ぎず、アイコン表示処理部４４が、例えば、温度変更地点アイコンの外形線の色を変化させるものであってもよい。
【００６３】
以上の実施の形態３では、操作受付部１５により設定温度を下げる操作、又は、操作受付部１５により設定温度を上げる操作が受け付けられると、アイコン表示処理部４４が、温度変更地点アイコンの色を変化させるように、図１２に示す温度設定装置５を構成した。したがって、図１２に示す温度設定装置５は、図１に示す温度設定装置５と同様に、空調機器２が設置されている部屋内の所望地点の温度を設定することができるほか、設定温度が変化されたことを視覚的に明示することができる。
【００６４】
図１２に示す温度設定装置５では、アイコン表示処理部４４が、温度変更地点アイコンの色を変化させている。アイコン表示処理部４４は、例えば、図示せぬスピーカを用いて、効果音を鳴らす機能を更に備えていてもよい。スピーカは、アイコン表示処理部４４に内蔵されていてもよいし、アイコン表示処理部４４の外部に設けられていてもよい。
具体的には、アイコン表示処理部４４は、スピーカを用いて、操作受付部１５により受け付けられた操作に従って、ユーザの体感温度を表す第１の効果音を鳴らす。操作受付部１５により受け付けられた操作が設定温度を下げる操作であれば、アイコン表示処理部４４は、“暑い”旨を表す音声を、第１の効果音として、スピーカから出力させる。また、操作受付部１５により受け付けられた操作が設定温度を上げる操作であれば、アイコン表示処理部４４は、“寒い”旨を表す音声を、第１の効果音として、スピーカから出力させる。
また、アイコン表示処理部４４は、スピーカを用いて、操作受付部１５により操作が受け付けられることによって、設定温度が下がるのか、上がるのかを表す第２の効果音を鳴らす。操作受付部１５により受け付けられた操作が設定温度を下げる操作であれば、アイコン表示処理部４４は、“設定温度が下がる”旨を表す音声を、第２の効果音として、スピーカから出力させる。また、操作受付部１５により受け付けられた操作が設定温度を上げる操作であれば、アイコン表示処理部４４は、“設定温度が上がる”旨を表す音声を、第２の効果音として、スピーカから出力させる。
【００６５】
実施の形態４．
実施の形態４では、アイコン表示処理部４５が、制御信号出力部１６から、第１の制御信号又は第２の制御信号のいずれかが出力されてからの経過時間を示す経過時間アイコンを表示する温度設定装置５について説明する。
【００６６】
図１３は、実施の形態４に係る温度設定装置５を含む空調システム１を示す構成図である。図１３において、図１と同一符号は同一又は相当部分を示すので説明を省略する。
アイコン表示処理部４５は、例えば、図２に示すアイコン表示処理回路２４によって実現される。
アイコン表示処理部４５は、図１に示すアイコン表示処理部１４と同様に、座標取得部１３により受け付けられた地点である所望地点を示す温度変更地点アイコンを、タッチパネル１７の画面に表示されている等高線図に重ねて表示させる。
アイコン表示処理部４５は、図１に示すアイコン表示処理部１４と同様に、第１の操作アイコン及び第２の操作アイコンのそれぞれを等高線図に重ねて表示させる。
アイコン表示処理部４５は、制御信号出力部１６から、第１の制御信号又は第２の制御信号のいずれかが出力されてからの経過時間を示す経過時間アイコンを等高線図に重ねて表示させる。
図１３に示す温度設定装置５では、アイコン表示処理部４５が図１に示す温度設定装置５に適用されている。しかし、これは一例に過ぎず、アイコン表示処理部４５が、図８に示す温度設定装置５、又は、図１２に示す温度設定装置５に適用されていてもよい。
【００６７】
次に、図１３に示す空調システム１の動作について説明する。
アイコン表示処理部４５以外は、図１に示す空調システム１と同様であるため、ここでは、アイコン表示処理部４５についての動作を説明する。
アイコン表示処理部４５は、図１に示すアイコン表示処理部１４と同様に、温度変更地点アイコンを、タッチパネル１７の画面に表示されている等高線図に重ねて表示させ、第１の操作アイコン及び第２の操作アイコンのそれぞれを等高線図に重ねて表示させる。
【００６８】
アイコン表示処理部４５は、制御信号出力部１６が、第１の制御信号又は第２の制御信号のいずれかを制御装置３に出力すると、図１４に示すように、第１の制御信号又は第２の制御信号のいずれかが出力されてからの経過時間を示す経過時間アイコンを等高線図に重ねて表示させる。
図１４は、アイコン表示処理部４５により表示される経過時間アイコンの一例を示す説明図である。
図１４の例では、温度変更地点アイコンの周囲に配置されている破線が、経過時間アイコンである。
破線を構成している１つ１つの短い線は、経過時間として、例えば、１分又は２分を経過したことを示している。短い線が示す経過時間は、アイコン表示処理部４５において、設定可能な時間であり、アイコン表示処理部４５の内部メモリに格納されていてもよいし、アイコン表示処理部４５の外部から与えられるものであってもよい。短い線が示す経過時間が例えば１分に設定されているとき、８つの短い線が表示されていれば、第１の制御信号又は第２の制御信号のいずれかが出力されてからの経過時間が８分である。
【００６９】
アイコン表示処理部４５は、制御信号出力部１６から、第１の制御信号又は第２の制御信号のいずれかが出力されてから、一定期間が経過した後に、図１４に示すように、タッチパネル１７の画面に表示されている、温度変更地点アイコン、第１の操作アイコン、第２の操作アイコン及び経過時間アイコンのそれぞれを消去させる。
一定期間としては、１時間又は３０分等が考えられる。一定期間は、アイコン表示処理部４５の内部メモリに格納されていてもよいし、アイコン表示処理部４５の外部から与えられるものであってもよい。
制御信号出力部１６から、第１の制御信号又は第２の制御信号のいずれかが出力されてから、一定期間が経過すると、所望地点の温度が設定温度に概ね到達していることが想定される。
【００７０】
以上の実施の形態４では、アイコン表示処理部４５が、制御信号出力部１６から、第１の制御信号又は第２の制御信号のいずれかが出力されてからの経過時間を示す経過時間アイコンを等高線図に重ねて表示させるように、図１３に示す温度設定装置５を構成した。したがって、図１３に示す温度設定装置５は、図１に示す温度設定装置５と同様に、空調機器２が設置されている部屋内の所望地点の温度を設定することができるほか、設定温度が変更されてからの時間の経過を視覚的に明示することができる。
【００７１】
実施の形態５．
実施の形態５では、タッチパネル１７の画面における温度変更地点アイコンの表示領域を変更する操作が検知されると、座標取得部６１が、表示領域を変更する操作に従って、設定温度を変更する地点を示す位置座標を変更する温度設定装置５について説明する。
図１５は、実施の形態５に係る温度設定装置５を含む空調システム１を示す構成図である。図１５において、図１と同一符号は同一又は相当部分を示すので説明を省略する。
図１６は、実施の形態５に係る温度設定装置５のハードウェアを示すハードウェア構成図である。図１６において、図２と同一符号は同一又は相当部分を示すので説明を省略する。
【００７２】
座標取得部６１は、例えば、図１６に示す座標取得回路７１によって実現される。
座標取得部６１は、図１に示す座標取得部１３と同様に、タッチパネル１７の画面に表示されている等高線図への接触が検知されると、等高線図への接触位置を示す位置座標を、設定温度を変更する地点を示す位置座標として取得する。
座標取得部６１は、図１に示す座標取得部１３と同様に、設定温度を変更する地点を示す位置座標をアイコン表示処理部１４及び制御信号出力部１６のそれぞれに出力する。
【００７３】
座標取得部６１は、タッチパネル１７の画面における温度変更地点アイコンの表示領域を変更する操作が検知されると、表示領域を変更する操作に従って、設定温度を変更する地点を示す位置座標を変更する。即ち、座標取得部６１は、タッチパネル１７が温度変更地点アイコンの表示領域を変更する操作として、例えば、ユーザによるドラッグ操作を検知されると、ドラッグ操作に従って、設定温度を変更する地点を示す位置座標を変更する。
座標取得部６１は、変更前後の位置座標を制御信号出力部１６に出力する。
【００７４】
図１５に示す温度設定装置５では、座標取得部６１が、図１に示す温度設定装置５に適用されている。しかし、これは一例に過ぎず、座標取得部６１が、図８に示す温度設定装置５、図１２に示す温度設定装置５、又は、図１３に示す温度設定装置５に適用されていてもよい。
【００７５】
図１５では、温度設定装置５の一部の構成要素である表示データ取得部１１、等高線図表示処理部１２、アイコン表示処理部１４、操作受付部１５、制御信号出力部１６及び座標取得部６１のそれぞれが、図１６に示すような専用のハードウェアによって実現されるものを想定している。即ち、温度設定装置５の一部が、表示データ取得回路２１、等高線図表示処理回路２２、アイコン表示処理回路２４、操作受付回路２５、制御信号出力回路２６及び座標取得回路７１よって実現されるものを想定している。
表示データ取得回路２１、等高線図表示処理回路２２、アイコン表示処理回路２４、操作受付回路２５、制御信号出力回路２６及び座標取得回路７１のそれぞれは、例えば、単一回路、複合回路、プログラム化したプロセッサ、並列プログラム化したプロセッサ、ＡＳＩＣ、ＦＰＧＡ、又は、これらを組み合わせたものが該当する。
【００７６】
温度設定装置５の一部の構成要素は、専用のハードウェアによって実現されるものに限るものではなく、温度設定装置５の一部が、ソフトウェア、ファームウェア、又は、ソフトウェアとファームウェアとの組み合わせによって実現されるものであってもよい。
温度設定装置５の一部が、ソフトウェア又はファームウェア等によって実現される場合、表示データ取得部１１、等高線図表示処理部１２、アイコン表示処理部１４、操作受付部１５、制御信号出力部１６及び座標取得部６１におけるそれぞれの処理手順をコンピュータに実行させるためのプログラムである温度設定プログラムが図３に示すメモリ３１に格納される。そして、コンピュータのプロセッサ３２がメモリ３１に格納されている温度設定プログラムを実行する。
【００７７】
また、図１６では、温度設定装置５の一部の構成要素のそれぞれが専用のハードウェアによって実現される例を示し、図３では、温度設定装置５の一部が、ソフトウェア又はファームウェア等によって実現される例を示している。しかし、これは一例に過ぎず、温度設定装置５における一部の構成要素のうち、さらに一部の構成要素が専用のハードウェアによって実現され、残りの構成要素がソフトウェア又はファームウェア等によって実現されるものであってもよい。
【００７８】
次に、図１５に示す空調システム１の動作について説明する。ここでは、図１に示す空調システム１と相違している部分の動作を説明する。
タッチパネル１７は、温度変更地点アイコン、第１の操作アイコン及び第２の操作アイコンのそれぞれを表示した後、図１７に示すように、ユーザが温度変更地点アイコンを移動させるドラッグ操作を行うと、ドラッグ操作の情報を座標取得部６１及びアイコン表示処理部１４のそれぞれに出力する。ここでのドラッグ操作の情報は、移動後の温度変更地点アイコンにおけるリングの内側部分の中心位置の位置座標を示す位置情報を含んでいる。
図１７は、温度変更地点アイコンを移動させるドラッグ操作を示す説明図である。
図１７では、温度変更地点アイコンを移動させるドラッグ操作が、温度変更地点アイコンにおけるリングの内側部分をドラッグする操作として表されている。
【００７９】
アイコン表示処理部１４は、タッチパネル１７からドラッグ操作の情報を受けると、図１７に示すように、ドラッグ操作の情報に含まれている位置情報が示す移動後の位置に、表示中の温度変更地点アイコンを移動させる。
座標取得部６１は、タッチパネル１７からドラッグ操作の情報を受けると、設定温度を変更する地点を示す位置座標を、ドラッグ操作の情報に含まれている位置情報が示す位置座標に変更する。
座標取得部６１は、変更前の位置座標及び変更後の位置座標のそれぞれを制御信号出力部１６に出力する。
【００８０】
制御信号出力部１６は、座標取得部６１から、変更前の位置座標及び変更後の位置座標のそれぞれを受けると、変更前の位置座標及び変更後の位置座標のそれぞれを含む制御信号を、ネットワーク４を介して、制御装置３に出力する。
制御装置３は、温度設定装置５から、変更前の位置座標及び変更後の位置座標のそれぞれを含む制御信号を受けると、制御信号に含まれている変更後の位置座標が示す所望地点の設定温度を、制御信号に含まれている変更前の位置座標が示す所望地点の設定温度と同じ温度に変更する。
制御装置３は、変更前の所望地点の設定温度については維持する。
制御装置３は、変更前後の所望地点の温度が、設定変更後の設定温度と一致するように、Ｎ台の空調機器２のそれぞれを制御する。
【００８１】
以上の実施の形態５では、座標取得部６１が、画面における温度変更地点アイコンの表示領域を変更する操作が検知されると、表示領域を変更する操作に従って、設定温度を変更する地点を示す位置座標を変更するように、図１５に示す温度設定装置５を構成した。したがって、図１５に示す温度設定装置５は、図１に示す温度設定装置５と同様に、空調機器２が設置されている部屋内の所望地点の温度を設定することができるほか、所望地点と異なる地点の温度を所望地点の温度と同じ温度に設定することができる。
【００８２】
実施の形態６．
実施の形態６では、アイコン表示処理部６２が、温度変更地点アイコンを拡縮する操作が検知されると、画面に表示中の温度変更地点アイコンを拡縮する温度設定装置５について説明する。
図１８は、実施の形態６に係る温度設定装置５を含む空調システム１を示す構成図である。図１８において、図１と同一符号は同一又は相当部分を示すので説明を省略する。
図１９は、実施の形態６に係る温度設定装置５のハードウェアを示すハードウェア構成図である。図１９において、図２と同一符号は同一又は相当部分を示すので説明を省略する。
【００８３】
アイコン表示処理部６２は、例えば、図１９に示すアイコン表示処理回路７２によって実現される。
アイコン表示処理部６２は、図１に示すアイコン表示処理部１４と同様に、座標取得部１３により取得された位置座標が示す地点を表すための温度変更地点アイコンを、タッチパネル１７の画面に表示されている等高線図に重ねて表示させる。
アイコン表示処理部６２は、図１に示すアイコン表示処理部１４と同様に、第１の操作アイコン及び第２の操作アイコンのそれぞれを等高線図に重ねて表示させる。
アイコン表示処理部６２は、温度変更地点アイコンを拡縮する操作が検知されると、タッチパネル１７の画面に表示されている温度変更地点アイコンを拡縮させる。温度変更地点アイコンの拡縮は、温度変更地点アイコンの拡大と、温度変更地点アイコンの縮小とを含む概念である。
アイコン表示処理部６２は、拡縮後の温度変更地点アイコンの大きさを示す拡縮情報を後述する制御信号出力部６３に出力する。
【００８４】
制御信号出力部６３は、例えば、図１９に示す制御信号出力回路７３によって実現される。
制御信号出力部６３は、ネットワーク４を介して、制御装置３と接続されている。
制御信号出力部６３は、操作受付部１５により設定温度を下げる操作が受け付けられると、図１に示す制御信号出力部１６と同様に、所望地点の設定温度の低下を指示する第１の制御信号を、ネットワーク４を介して、制御装置３に出力する。
制御信号出力部６３は、操作受付部１５により設定温度を上げる操作が受け付けられると、図１に示す制御信号出力部１６と同様に、所望地点の設定温度の上昇を指示する第２の制御信号を、ネットワーク４を介して、制御装置３に出力する。
【００８５】
操作受付部１５により設定温度を下げる操作、又は、設定温度を上げる操作のいずれかが受け付けられる前に、温度変更地点アイコンを拡縮する操作が検知されることによって、座標取得部１３により取得された位置座標が示す地点の表示領域の大きさが変更される場合がある。座標取得部１３により取得された位置座標が示す地点の表示領域は、温度変更地点アイコンにおけるリングの内側部分の領域である。
制御信号出力部６３は、アイコン表示処理部６２から拡縮情報を受けた後に、操作受付部１５により設定温度を下げる操作が受け付けられると、大きさ変更後の表示領域の設定温度の低下を指示する第１の制御信号を、ネットワーク４を介して、制御装置３に出力する。
制御信号出力部６３は、アイコン表示処理部６２から拡縮情報を受けた後に、操作受付部１５により設定温度を上げる操作が受け付けられると、大きさ変更後の表示領域の設定温度の上昇を指示する第２の制御信号を、ネットワーク４を介して、制御装置３に出力する。
【００８６】
図１８に示す温度設定装置５では、アイコン表示処理部６２及び制御信号出力部６３のそれぞれが、図１に示す温度設定装置５に適用されている。しかし、これは一例に過ぎず、アイコン表示処理部６２及び制御信号出力部６３のそれぞれが、図８に示す温度設定装置５、図１２に示す温度設定装置５、図１３に示す温度設定装置５、又は、図１５に示す温度設定装置５に適用されていてもよい。
【００８７】
図１８では、温度設定装置５の一部の構成要素である表示データ取得部１１、等高線図表示処理部１２、座標取得部１３、操作受付部１５、アイコン表示処理部６２及び制御信号出力部６３のそれぞれが、図１９に示すような専用のハードウェアによって実現されるものを想定している。即ち、温度設定装置５の一部が、表示データ取得回路２１、等高線図表示処理回路２２、座標取得回路２３、操作受付回路２５、アイコン表示処理回路７２及び制御信号出力回路７３によって実現されるものを想定している。
表示データ取得回路２１、等高線図表示処理回路２２、座標取得回路２３、操作受付回路２５、アイコン表示処理回路７２及び制御信号出力回路７３のそれぞれは、例えば、単一回路、複合回路、プログラム化したプロセッサ、並列プログラム化したプロセッサ、ＡＳＩＣ、ＦＰＧＡ、又は、これらを組み合わせたものが該当する。
【００８８】
温度設定装置５の一部の構成要素は、専用のハードウェアによって実現されるものに限るものではなく、温度設定装置５の一部が、ソフトウェア、ファームウェア、又は、ソフトウェアとファームウェアとの組み合わせによって実現されるものであってもよい。
温度設定装置５の一部が、ソフトウェア又はファームウェア等によって実現される場合、表示データ取得部１１、等高線図表示処理部１２、座標取得部１３、操作受付部１５、アイコン表示処理部６２及び制御信号出力部６３におけるそれぞれの処理手順をコンピュータに実行させるためのプログラムである温度設定プログラムが図３に示すメモリ３１に格納される。そして、コンピュータのプロセッサ３２がメモリ３１に格納されている温度設定プログラムを実行する。
【００８９】
また、図１９では、温度設定装置５の一部の構成要素のそれぞれが専用のハードウェアによって実現される例を示し、図３では、温度設定装置５の一部が、ソフトウェア又はファームウェア等によって実現される例を示している。しかし、これは一例に過ぎず、温度設定装置５における一部の構成要素のうち、さらに一部の構成要素が専用のハードウェアによって実現され、残りの構成要素がソフトウェア又はファームウェア等によって実現されるものであってもよい。
【００９０】
次に、図１８に示す空調システム１の動作について説明する。ここでは、図１に示す空調システム１と相違している部分の動作を説明する。
タッチパネル１７は、温度変更地点アイコン、第１の操作アイコン及び第２の操作アイコンのそれぞれを表示した後、図２０に示すように、ユーザが温度変更地点アイコンを拡縮するドラッグ操作を行うと、ドラッグ操作の情報をアイコン表示処理部６２に出力する。
図２０は、温度変更地点アイコンを拡縮させるドラッグ操作を示す説明図である。
図２０では、温度変更地点アイコンを拡縮させる操作が、温度変更地点アイコンにおけるリングをドラッグする操作として表されている。ここでのドラッグ操作の情報は、温度変更地点アイコンにおけるリングの移動距離を示す情報を含んでいる。
図２０では、温度変更地点アイコンを拡縮させる操作が、温度変更地点アイコンにおけるリングをドラッグする操作として表されている。しかし、これは一例に過ぎず、温度変更地点アイコンを縮小させる操作が、例えば、ピンチイン操作であって、温度変更地点アイコンを拡大する操作が、例えば、ピンチアウト操作であってもよい。
【００９１】
アイコン表示処理部６２は、タッチパネル１７から、ドラッグ操作の情報を受けると、ドラッグ操作の情報に基づいて、図２０に示すように、表示中の温度変更地点アイコンを拡縮させる。
表示中の温度変更地点アイコンが拡縮されることにより、座標取得部１３により取得された位置座標が示す地点の表示領域、即ち、温度変更地点アイコンにおけるリングの内側部分の領域の大きさが変更される。
【００９２】
アイコン表示処理部６２は、ドラッグ操作の情報に基づいて、拡縮後の温度変更地点アイコンの大きさを算出する。
温度変更地点アイコンにおけるリングの内側の中心点の位置と、拡縮前のリングの内周の半径とは、アイコン表示処理部６２において、既値である。アイコン表示処理部６２は、例えば、中心点の位置と、拡縮前のリングの内周の半径と、ドラッグ操作の情報が示すリングの移動距離とから、拡縮後の温度変更地点アイコンの大きさを算出する。
アイコン表示処理部６２は、拡縮後の温度変更地点アイコンの大きさ示す拡縮情報を制御信号出力部６３に出力する。
【００９３】
制御信号出力部６３は、アイコン表示処理部６２から拡縮情報を受け後に、操作受付部１５により設定温度を下げる操作が受け付けられると、拡縮後の温度変更地点アイコンが示す所望地点の表示領域の設定温度の低下を指示する第１の制御信号を、ネットワーク４を介して、制御装置３に出力する。第１の制御信号は、アイコン表示処理部６２から出力された拡縮情報を含んでいる。
制御信号出力部６３は、アイコン表示処理部６２から拡縮情報を受けた後に、操作受付部１５により設定温度を上げる操作が受け付けられると、拡縮後の温度変更地点アイコンが示す所望地点の表示領域の設定温度の上昇を指示する第２の制御信号を、ネットワーク４を介して、制御装置３に出力する。第２の制御信号は、アイコン表示処理部６２から出力された拡縮情報を含んでいる。
【００９４】
図１８に示す温度設定装置５では、アイコン表示処理部６２から拡縮情報を受け後に、操作受付部１５により設定温度を下げる操作、又は、操作受付部１５により設定温度を上げる操作が受け付けられると、制御信号出力部６３が、第１の制御信号又は第２の制御信号を、制御装置３に出力している。しかし、これは一例に過ぎず、操作受付部１５により設定温度を下げる操作、又は、操作受付部１５により設定温度を上げる操作が受け付けられた後に、アイコン表示処理部６２から拡縮情報を受けると、制御信号出力部６３が、第１の制御信号又は第２の制御信号を、制御装置３に出力するものであってもよい。
【００９５】
制御装置３は、温度設定装置５から第１の制御信号又は第２の制御信号のいずれかを受けると、第１の制御信号に含まれている拡縮情報、又は、第２の制御信号に含まれている拡縮情報から、拡縮後の温度変更地点アイコンが示す所望地点の表示領域を認識する。
制御装置３は、温度設定装置５から第１の制御信号を受けると、第１の制御信号に従って、拡縮後の温度変更地点アイコンが示す所望地点の表示領域に対応する部屋内の領域の設定温度を下げる設定変更を行う。
制御装置３は、温度設定装置５から第２の制御信号を受けると、第２の制御信号に従って、拡縮後の温度変更地点アイコンが示す所望地点の表示領域に対応する部屋内の領域の設定温度を上げる設定変更を行う。
制御装置３の内部メモリには、座標取得部１３から出力された位置座標と、部屋内の地点との対応関係が格納されている。また、制御装置３の内部メモリには、部屋内のそれぞれの地点の設定温度が格納されている。
【００９６】
制御装置３は、拡縮後の温度変更地点アイコンが示す所望地点の表示領域に対応する部屋内の領域の温度が、設定変更後の設定温度と一致するように、Ｎ台の空調機器２のそれぞれを制御する。
所望地点の表示領域に対応する部屋内の領域の温度が、設定変更後の設定温度と一致するように、制御装置３が、Ｎ台の空調機器２のそれぞれを制御する処理自体は、公知の技術であるため詳細な説明を省略するが、例えば、以下のような制御が考えられる。
制御装置３は、部屋内の領域の温度、部屋内の領域の周辺の温度及び部屋内の領域の設定温度に基づいて、Ｎ台の空調機器２のそれぞれから出力される風の向き、風量及び風の温度のそれぞれを制御する。
【００９７】
以上の実施の形態６では、アイコン表示処理部６２が、温度変更地点アイコンを拡縮する操作が検知されると、画面に表示されている温度変更地点アイコンを拡縮されるように、図１８に示す温度設定装置５を構成した。したがって、図１８に示す温度設定装置５は、図１に示す温度設定装置５と同様に、空調機器２が設置されている部屋内の所望地点の温度を設定することができるほか、設定温度を変える領域を変更することができる。
【００９８】
実施の形態７．
実施の形態１〜６に係る温度設定装置５では、アイコン表示処理部１４，４３，４４，４５，６２が、１組のアイコンとして、温度変更地点アイコン、第１の操作アイコン及び第２の操作アイコンのそれぞれを表示している。
実施の形態７では、アイコン表示処理部１４，４３，４４，４５，６２が、複数組のアイコンを表示する温度設定装置５について説明する。
【００９９】
実施の形態７に係る温度設定装置５の構成は、説明の便宜上、実施の形態１に係る温度設定装置５の構成と同様であるものとする。したがって、実施の形態７に係る温度設定装置５を示す構成図は、図１である。しかし、これは一例に過ぎず、実施の形態７に係る温度設定装置５の構成は、実施の形態２〜６のうちのいずれかの実施の形態に係る温度設定装置５の構成と同様であってもよい。
【０１００】
タッチパネル１７は、等高線図を表示した後、ユーザの指等の接触を検知すると、実施の形態１に係る温度設定装置５と同様に、指等の接触位置を示す位置座標を座標取得部１３に出力する。
実施の形態７に係る温度設定装置５では、タッチパネル１７が、複数の接触を検知すると、複数の接触位置を示す位置座標を座標取得部１３に出力するものとする。
【０１０１】
座標取得部１３は、設定温度を変更する複数の地点を示す位置座標として、タッチパネル１７から出力された複数の位置座標を取得する。
座標取得部１３は、複数の位置座標をアイコン表示処理部１４及び制御信号出力部１６のそれぞれに出力する。
【０１０２】
アイコン表示処理部１４は、座標取得部１３から、複数の位置座標を受けると、図２１に示すように、それぞれの位置座標が示す地点である所望地点を表す温度変更地点アイコンを、タッチパネル１７の画面に表示されている等高線図に重ねて表示させる。
また、アイコン表示処理部１４は、図２１に示すように、それぞれの所望地点の設定温度を下げる操作を受け付けるための第１の操作アイコンと、それぞれの所望地点の設定温度を上げる操作を受け付けるための第２の操作アイコンとを等高線図に重ねて表示させる。
図２１は、アイコン表示処理部１４により表示される、複数の温度変更地点アイコンと、複数の第１の操作アイコンと、複数の第２の操作アイコンとを示す説明図である。
図２１の例では、３組のアイコンとして、３つの温度変更地点アイコンと、３つの第１の操作アイコンと、３つの第２の操作アイコンとを表示している。
【０１０３】
タッチパネル１７は、複数の第１の操作アイコンと、複数の第２の操作アイコンとを表示した後、複数の第１の操作アイコンにおけるそれぞれの表示領域に対するユーザの指等の接触検知処理を行う。
また、タッチパネル１７は、複数の第２の操作アイコンにおけるそれぞれの表示領域に対するユーザの指等の接触検知処理を行う。
タッチパネル１７は、複数の第１の操作アイコンのうち、いずれかの第１の操作アイコンの表示領域に対するユーザの指等の接触を検知すると、ユーザが触れた第１の操作アイコンを示す第１の操作情報を操作受付部１５に出力する。タッチパネル１７が、複数の第１の操作アイコンの表示領域に対するユーザの指等の接触を検知すると、ユーザが触れたそれぞれの第１の操作アイコンを示す第１の操作情報を操作受付部１５に出力する。
タッチパネル１７は、複数の第２の操作アイコンのうち、いずれかの第２の操作アイコンの表示領域に対するユーザの指等の接触を検知すると、ユーザが触れた第２の操作アイコンを示す第１の操作情報を操作受付部１５に出力する。タッチパネル１７が、複数の第２の操作アイコンの表示領域に対するユーザの指等の接触を検知すると、ユーザが触れたそれぞれの第２の操作アイコンを示す第２の操作情報を操作受付部１５に出力する。
【０１０４】
操作受付部１５は、タッチパネル１７から第１の操作情報を受けると、第１の操作情報を参照することによって、ユーザが触れた第１の操作アイコンを特定する。
操作受付部１５は、複数の温度変更地点アイコンのうち、特定した第１の操作アイコンに係る温度変更地点アイコンが示す所望地点の設定温度を下げる操作を受け付ける。
操作受付部１５は、設定温度を下げる操作を受け付けると、設定温度を下げる操作を受け付けた旨を示す第１の操作受付情報を制御信号出力部１６に出力する。
操作受付部１５は、タッチパネル１７から第２の操作情報を受けると、第２の操作情報を参照することによって、ユーザが触れた第２の操作アイコンを特定する。
操作受付部１５は、複数の温度変更地点アイコンのうち、特定した第２の操作アイコンに係る温度変更地点アイコンが示す所望地点の設定温度を上げる操作を受け付ける。
操作受付部１５は、設定温度を上げる操作を受け付けると、設定温度を上げる操作を受け付けた旨を示す第２の操作受付情報を制御信号出力部１６に出力する。
【０１０５】
制御信号出力部１６は、操作受付部１５から第１の操作受付情報を受けると、操作受付部１５により特定された第１の操作アイコンに係る温度変更地点アイコンが示す所望地点の設定温度の低下を指示する第１の制御信号を、ネットワーク４を介して、制御装置３に出力する。
制御信号出力部１６は、操作受付部１５から第２の操作受付情報を受けると、操作受付部１５により特定された第１の操作アイコンに係る温度変更地点アイコンが示す所望地点の設定温度の上昇を指示する第２の制御信号を、ネットワーク４を介して、制御装置３に出力する。
【０１０６】
制御装置３は、温度設定装置５から第１の制御信号を受けると、第１の制御信号に従って、操作受付部１５により特定された第１の操作アイコンに係る温度変更地点アイコンが示す所望地点の設定温度を下げる設定変更を行う。
操作受付部１５により特定された第１の操作アイコンが複数ある場合、特定されたそれぞれの第１の操作アイコンに係る温度変更地点アイコンが示す所望地点の設定温度を下げる設定変更を行う。
制御装置３は、温度設定装置５から第２の制御信号を受けると、第２の制御信号に従って、操作受付部１５により特定された第２の操作アイコンに係る温度変更地点アイコンが示す所望地点の設定温度を上げる設定変更を行う。
操作受付部１５により特定された第２の操作アイコンが複数ある場合、特定されたそれぞれの第２の操作アイコンに係る温度変更地点アイコンが示す所望地点の設定温度を上げる設定変更を行う。
【０１０７】
制御装置３は、Ｎ台の空調機器２が設置されている部屋内の所望地点の温度が、設定変更後の設定温度と一致するように、Ｎ台の空調機器２のそれぞれを制御する。
制御装置３は、所望地点の温度、所望地点の周辺の温度及び所望地点の設定温度に基づいて、例えば、Ｎ台の空調機器２のそれぞれから出力される風の向き、風量及び風の温度のそれぞれを制御する。
設定温度を変更した所望地点が複数ある場合、制御装置３は、複数の所望地点の温度、複数の所望地点の周辺の温度及び複数の所望地点の設定温度に基づいて、例えば、Ｎ台の空調機器２のそれぞれから出力される風の向き、風量及び風の温度のそれぞれを制御する。
【０１０８】
以上の実施の形態７では、アイコン表示処理部１４が、座標取得部１３により複数の位置座標がそれぞれ取得されると、それぞれの位置座標が示す地点を表すための温度変更地点アイコンと、それぞれの位置座標が示す地点の設定温度を下げる操作を受け付けるための第１の操作アイコンと、それぞれの位置座標が示す地点の設定温度を上げる操作を受け付けるための第２の操作アイコンとを等高線図に重ねて表示させるように、温度設定装置５を構成した。したがって、温度設定装置５は、空調機器２が設置されている部屋内の複数の所望地点の温度を設定することができる。
【０１０９】
実施の形態８．
実施の形態８では、空調機器２によって、温度が設定温度に近づけられる温度制御範囲を等高線図に重ねて表示させる温度制御範囲表示部６４を備える温度設定装置５について説明する。
図２２は、実施の形態８に係る温度設定装置５を含む空調システム１を示す構成図である。図２２において、図１と同一符号は同一又は相当部分を示すので説明を省略する。
図２３は、実施の形態８に係る温度設定装置５のハードウェアを示すハードウェア構成図である。図２３において、図２と同一符号は同一又は相当部分を示すので説明を省略する。
【０１１０】
温度制御範囲表示部６４は、例えば、図２３に示す温度制御範囲表示回路７４によって実現される。
温度制御範囲表示部６４は、制御信号出力部１６から、第１の制御信号又は第２の制御信号のいずれかが出力されることで、空調機器２によって、温度が設定温度に近づけられる温度制御範囲を等高線図に重ねて表示させる。
【０１１１】
図２２に示す温度設定装置５では、温度制御範囲表示部６４が、図１に示す温度設定装置５に適用されている。しかし、これは一例に過ぎず、温度制御範囲表示部６４が、図８に示す温度設定装置５、図１２に示す温度設定装置５、図１３に示す温度設定装置５、図１５に示す温度設定装置５、又は、図１８に示す温度設定装置５に適用されていてもよい。
【０１１２】
図２２では、温度設定装置５の一部の構成要素である表示データ取得部１１、等高線図表示処理部１２、座標取得部１３、アイコン表示処理部１４、操作受付部１５、制御信号出力部１６及び温度制御範囲表示部６４のそれぞれが、図２３に示すような専用のハードウェアによって実現されるものを想定している。即ち、温度設定装置５の一部が、表示データ取得回路２１、等高線図表示処理回路２２、座標取得回路２３、アイコン表示処理回路２４、操作受付回路２５、制御信号出力回路２６及び温度制御範囲表示回路７４によって実現されるものを想定している。
表示データ取得回路２１、等高線図表示処理回路２２、座標取得回路２３、アイコン表示処理回路２４、操作受付回路２５、制御信号出力回路２６及び温度制御範囲表示回路７４のそれぞれは、例えば、単一回路、複合回路、プログラム化したプロセッサ、並列プログラム化したプロセッサ、ＡＳＩＣ、ＦＰＧＡ、又は、これらを組み合わせたものが該当する。
【０１１３】
温度設定装置５の一部の構成要素は、専用のハードウェアによって実現されるものに限るものではなく、温度設定装置５の一部が、ソフトウェア、ファームウェア、又は、ソフトウェアとファームウェアとの組み合わせによって実現されるものであってもよい。
温度設定装置５の一部が、ソフトウェア又はファームウェア等によって実現される場合、表示データ取得部１１、等高線図表示処理部１２、座標取得部１３、アイコン表示処理部１４、操作受付部１５、制御信号出力部１６及び温度制御範囲表示部６４におけるそれぞれの処理手順をコンピュータに実行させるためのプログラムである温度設定プログラムが図３に示すメモリ３１に格納される。そして、コンピュータのプロセッサ３２がメモリ３１に格納されている温度設定プログラムを実行する。
【０１１４】
また、図２３では、温度設定装置５の一部の構成要素のそれぞれが専用のハードウェアによって実現される例を示し、図３では、温度設定装置５の一部が、ソフトウェア又はファームウェア等によって実現される例を示している。しかし、これは一例に過ぎず、温度設定装置５における一部の構成要素のうち、さらに一部の構成要素が専用のハードウェアによって実現され、残りの構成要素がソフトウェア又はファームウェア等によって実現されるものであってもよい。
【０１１５】
次に、図２２に示す空調システム１の動作について説明する。
温度制御範囲表示部６４以外は、図１に示す空調システム１と同様であるため、ここでは、温度制御範囲表示部６４の動作のみを説明する。
図２４は、等高線図表示処理部１２により表示される等高線図の一例を示す説明図である。
図２４に示す等高線図は、図５に示す等高線図と比べて、部屋の温度分布が粗いものとなっている。
図２４の例では、等高線図が、７つの矩形の領域Ｒ１〜Ｒ７に分かれており、７つの矩形の領域Ｒ１〜Ｒ７のうち、３つの矩形の領域Ｒ２，Ｒ４，Ｒ７に亘って温度変更地点アイコンが表示されている。
【０１１６】
図２２に示す空調システム１では、説明の便宜上、Ｎ台の空調機器２が、温度を制御できる範囲が領域単位であり、温度を制御できるそれぞれの範囲が、等高線図におけるそれぞれの領域Ｒ１〜Ｒ７と重なっているものとする。
したがって、図２２に示す空調システム１では、アイコン表示処理部１４により表示された温度変更地点アイコンが、例えば、領域Ｒ２，Ｒ４，Ｒ７に亘っていれば、空調機器２によって、温度が設定温度に近づけられる温度制御範囲は、領域Ｒ２，Ｒ４，Ｒ７である。
また、アイコン表示処理部１４により表示された温度変更地点アイコンが、例えば、領域Ｒ１，Ｒ３に亘っていれば、空調機器２によって、温度が設定温度に近づけられる温度制御範囲は、領域Ｒ１，Ｒ３である。
【０１１７】
温度制御範囲表示部６４は、アイコン表示処理部１４により表示された温度変更地点アイコンが、例えば、領域Ｒ２，Ｒ４，Ｒ７に亘っていれば、温度が設定温度に近づけられる温度制御範囲を示すものとして、図２４に示すように、領域Ｒ２，Ｒ４，Ｒ７を囲む強調線をアイコン表示処理部１４に表示させる。
【０１１８】
以上の実施の形態８では、制御信号出力部１６から、第１の制御信号又は第２の制御信号のいずれかが出力されることで、空調機器２によって、温度が設定温度に近づけられる温度制御範囲を等高線図に重ねて表示させる温度制御範囲表示部６４を備えるように、図２２に示す温度設定装置５を構成した。したがって、図２２に示す温度設定装置５は、図１に示す温度設定装置５と同様に、空調機器２が設置されている部屋内の所望地点の温度を設定することができるほか、空調機器２によって、温度が制御される温度制御範囲を視覚的に明示することができる。
【０１１９】
実施の形態１〜８に係る温度設定装置５では、アイコン表示処理部１４，４３，４４，４５，６２が、温度変更地点アイコンとして、リングのアイコンを表示させている。
しかし、これは一例に過ぎず、アイコン表示処理部１４，４３，４４，４５，６２が、温度変更地点アイコンとして、図２５に示すような形状のアイコンを表示させるようにしてもよい。
図２５は、温度変更地点アイコンの一例を示す説明図である。
【０１２０】
実施の形態２〜８に係る温度設定装置５では、アイコン表示処理部４３，４４，４５，６２が、体感温度アイコンとして、図１０に示すような体感温度アイコンを表示させている。
しかし、これは一例に過ぎず、アイコン表示処理部４３，４４，４５，６２が、体感温度アイコンとして、図２６に示すような形状のアイコンを表示させるようにしてもよい。
図２６は、体感温度アイコンの一例を示す説明図である。
図２６に示す体感温度アイコンは、温度変更地点アイコンにおけるリングの内側に表示されているアイコンである。
【０１２１】
なお、本開示は、各実施の形態の自由な組み合わせ、あるいは各実施の形態の任意の構成要素の変形、もしくは各実施の形態において任意の構成要素の省略が可能である。
【産業上の利用可能性】
【０１２２】
本開示は、制御信号を空調機器の制御装置に出力する温度設定装置、温度設定方法及び温度設定プログラムに適している。
【符号の説明】
【０１２３】
１  空調システム、２  空調機器、３  制御装置、４  ネットワーク、５  温度設定装置、１１  表示データ取得部、１２  等高線図表示処理部、１３  座標取得部、１４  アイコン表示処理部、１５  操作受付部、１６  制御信号出力部、１７  タッチパネル、２１  表示データ取得回路、２２  等高線図表示処理回路、２３  座標取得回路、２４  アイコン表示処理回路、２５  操作受付回路、２６  制御信号出力回路、３１  メモリ、３２  プロセッサ、４１  体感温度推定部、４２  アイコン記憶部、４３，４４，４５  アイコン表示処理部、５１  体感温度推定回路、５２  アイコン記憶回路、５３  アイコン表示処理回路、６１  座標取得部、６２  アイコン表示処理部、６３  制御信号出力部、６４  温度制御範囲表示部、７１  座標取得回路、７２  アイコン表示処理回路、７３  制御信号出力回路、７４  温度制御範囲表示回路。
【要約】
空調機器（２）が設置されている部屋の温度分布を表す等高線図の表示データに従って、等高線図を画面に表示させる等高線図表示処理部（１２）と、画面に表示されている等高線図への接触が検知されると、等高線図への接触位置を示す位置座標を、設定温度を変更する地点を示す位置座標として取得する座標取得部（１３）と、座標取得部（１３）により取得された位置座標が示す地点の設定温度の低下を指示する第１の制御信号、又は、地点の設定温度の上昇を指示する第２の制御信号を空調機器（２）の制御装置（３）に出力する制御信号出力部（１６）とを備えるように、温度設定装置（５）を構成した。【図１】
0006877646.tif 000002
【図２】
0006877646.tif 000003
【図３】
0006877646.tif 000004
【図４】
0006877646.tif 000005
【図５】
0006877646.tif 000006
【図６】
0006877646.tif 000007
【図７】
0006877646.tif 000008
【図８】
0006877646.tif 000009
【図９】
0006877646.tif 000010
【図１０】
0006877646.tif 000011
【図１１】
0006877646.tif 000012
【図１２】
0006877646.tif 000013
【図１３】
0006877646.tif 000014
【図１４】
0006877646.tif 000015
【図１５】
0006877646.tif 000016
【図１６】
0006877646.tif 000017
【図１７】
0006877646.tif 000018
【図１８】
0006877646.tif 000019
【図１９】
0006877646.tif 000020
【図２０】
0006877646.tif 000021
【図２１】
0006877646.tif 000022
【図２２】
0006877646.tif 000023
【図２３】
0006877646.tif 000024
【図２４】
0006877646.tif 000025
【図２５】
0006877646.tif 000026
【図２６】
0006877646.tif 000027